(57)【要約】【課題】光ピックアップユニットベースの厚みの薄型化を実現しながら、外部衝撃によるガイド主軸の塑性変形を防止する。【解決手段】光ディスクドライブユニットベース４０に架設されたガイド主軸４３の外周に光ピックアップユニットベース５０の厚みＴ１内に取付けられた含油メタル軸受５２を摺動自在に挿入し、光ディスクドライブユニットベース４０にガイド主軸４３と平行に架設した衝撃吸収用軸４８を光ピックアップユニットベース５０に形成した貫通孔５６内に挿通し、その貫通孔５６の内周面５６ａと衝撃吸収用軸４８の外周面４８ａとの間にクリアランス５７を備えた光ディスクドライブ装置。【選択図】図６
2006216150.tif 000002
【特許請求の範囲】
【請求項１】
ディスク状記録媒体を回転駆動するスピンドルモータ及びピックアップユニット送り機構が搭載されたディスクドライブユニットベースと、
前記ディスク状記録媒体に情報を記録及び／又は再生するピックアップ手段がピックアップユニットベースに搭載され、該ピックアップユニットベースの一側部に取付けられた軸受が前記ディスクドライブユニットベースに架設されたガイド主軸の外周に沿って前記ディスク状記録媒体の半径方向へ摺動されるピックアップユニットとを備えたディスクドライブ装置用のディスクドライブユニットにおいて、
前記ディスクドライブユニットベースに前記ガイド主軸と平行に架設された衝撃吸収用軸を備え、
前記ピックアップユニットベースが前記衝撃吸収用軸に対して少なくとも前記ディスク状記録媒体の半径方向に対する直角な方向の微小なクリアランスを保って、前記ガイド主軸に沿って前記ディスク状記録媒体の半径方向へ摺動させるように構成された
ことを特徴とするディスクドライブ装置用のディスクドライブユニット。
【請求項２】
前記衝撃吸収用軸が円柱軸に形成され、該衝撃吸収用軸が前記ピックアップユニットベースに形成された円筒孔からなる貫通孔内に前記微小なクリアランスを保って挿通されている
ことを特徴とする請求項１に記載のディスクドライブ装置用のディスクドライブユニット。
【請求項３】
前記ディスク状記録媒体の直径が１２ｃｍに構成されていて、
前記ピックアップユニットベースの厚みが約３ｍｍ、前記ガイド主軸の直径及び前記衝撃吸収用軸の直径がそれぞれ約１．５ｍｍ、前記貫通孔の直径が約２．１ｍｍに構成されている
ことを特徴とする請求項２に記載のディスクドライブ装置用のディスクドライブユニット。
【請求項４】
ローディング・イジェクト用スライドベースの開口部内に複数個の緩衝用インシュレータによって弾性的に支持されたディスクドライブユニットベースにディスク状記録媒体を回転駆動するスピンドルモータ及びピックアップユニット送り機構が搭載されたディスクドライブユニットと、
前記ディスク状記録媒体に情報を記録及び／又は再生するピックアップ手段がピックアップユニットベースに搭載されたピックアップユニットとを備え、
前記ピックアップユニットが前記ディスクドライブユニットべ−スの開口部内にガイド主軸及びガイド副軸を介して前記ディスク状記録媒体の半径方向に移動自在に支持され、該ピックアップユニットが前記ピックアップユニット送り機構によって前記ディスク状記録媒体の半径方向へ移送されるディスクドライブ装置において、
前記ディスクドライブユニットベースに前記ガイド主軸と平行に架設された衝撃吸収用軸を備え、
前記ピックアップユニットベースが前記衝撃吸収用軸に対して少なくとも前記ディスク状記録媒体の半径方向に対する直角な方向の微小なクリアランスを保って、前記ガイド主軸に沿って前記ディスク状記録媒体の半径方向に摺動させるように構成された
ことを特徴とするディスクドライブ装置。
【請求項５】
前記衝撃吸収用軸が円柱軸に形成され、該衝撃吸収用軸が前記ピックアップユニットベースに形成された円筒孔からなる貫通孔内に前記微小なクリアランスを保って挿通されている
ことを特徴とする請求項４に記載のディスクドライブ装置。
【請求項６】
前記ピックアップユニットベースの厚みが約３ｍｍ、前記ガイド主軸の直径及び前記衝撃吸収用軸の直径がそれぞれ約１．５ｍｍ、前記貫通孔の直径が約２．１ｍｍに構成されている
ことを特徴とする請求項５に記載のディスクドライブ装置。
【発明の詳細な説明】
【技術分野】
【０００１】
本発明は、ＣＤ、ＣＤ−ＲＯＭ、ＣＤ−Ｒ／ＲＷ、ＤＶＤ、記録型ＤＶＤ等の光ディスクや光磁気ディスクその他のディスク状記録媒体に映像情報等の情報を記録及び／又は再生するためのディスクドライブ装置用のディスクドライブユニットと、そのディスクドライブユニットが搭載されたディスクドライブ装置に関するものである。
【背景技術】
【０００２】
従来から、ＣＤ、ＣＤ−ＲＯＭ、ＣＤ−Ｒ／ＲＷ、ＤＶＤ等の光ディスクや光磁気ディスク等のディスク状記録媒体に映像情報を記録及び／又は再生するディスクドライブ装置の一例としての光ディスクドライブ装置は、ケース（外筐）内から出し入れされるローディング・イジェクト用スライドベースと、そのスライドベースの開口部内に複数個のインシュレータによって弾性的に支持された光ディスクドライブユニットとを備えている。
【０００３】
更に、その光ディスクドライブユニットにはディスク状記録媒体としての光学ディスクを回転駆動するスピンドルモータ及び光ピックアップユニット送り機構が搭載された光ディスクドライブユニットベースの開口部内に光ピックアップユニットが搭載されていて、その光ピックアップユニットには光学ディスクに映像情報を記録及び／又は再生するピックアップ手段としての光ピックアップが搭載された光ピックアップユニットベースが備えられ、その光ピックアップユニットベースは光ディスクドライブユニットべースの開口部内でガイド主軸及びガイド副軸によって案内され、光ピックアップユニット送り機構によって駆動されることにより、光ピックアップを光学ディスクの半径方向へ移送して、その光学ディスクに映像信号を記録及び／又は再生するように構成されている（例えば、特許文献１〜３）。
【０００４】
近年、ノート型パソコン（パーソナルコンピュータの略）等の小型化、薄型化に伴い、ノート型パソコン内に組み込まれるように搭載される光ディスクドライブ装置のより一層の薄型化が要求されている。
そして、光ディスクドライブ装置の薄型化を促進する上では、光ピックアップユニットのベースである光ピックアップユニットベースの薄型化が最も重要である。
【０００５】
光ディスクドライブ装置では、通常、光ピックアップユニットベースの位置決め精度を高くするために、その光プックアップユニットベースの一側部内の厚みのセンター上に形成された軸受圧入用孔内に筒状の含油メタル軸受を圧入して、その含油メタル軸受をディスクドライブユニットベースの開口部内に水平に架設したガイド主軸の外周に摺動自在に挿通された構造が採用されている。
【０００６】
従って、光ピックアップユニットベースの薄型化を実行するためには、直径が１２ｃｍの光学ディスク対応の光ディスクドライブ装置のガイド主軸の直径を現行の２ｃｍより十分に小さい直径に変更しなければならない。
【０００７】
そこで、本発明の発明者が、光ピックアップユニットベースの薄型化を促進するために、次のような実験を試みたところ、次のような問題が発生した。
つまり、光ピックアップユニットベースの厚さを、例えば３ｍｍに構成するためには、その光ピックアップユニットベースの厚みのセンター上に含油メタル軸受を圧入する際に、その光ピックアップユニットベースの軸受圧入用孔の上下部分に変形や割れ等のクリープが発生しないように、その光ピックアップユニットベースの上下部分の肉厚を最低でもそれぞれ０．３５ｍｍ以上に構成する必要がある。
【０００８】
しかし、光ピックアップユニットベースの上下部分の肉厚＝０．３５に設定すれば、含油メタル軸受の肉厚の最小値が強度的に０．４ｍｍとされていることから、その含油メタル軸受の外径が最低でも２．３ｍｍとなり、結果的に、ガイド主軸の直径＝１．５ｍｍもの非常に細い軸となってしまう。
【０００９】
この際、ＭＤドライブ装置のように、光学ディスクの直径が小さいことから、光ピックアップユニットベースを案内するガイド主軸の長さを短くすることができる上に、光ピックアップユニットベースの重量自体も著しく軽量化することができるものでは、ガイド主軸の直径＝１．５ｍｍ以下に構成することが可能である。
【００１０】
しかしながら、本発明の発明者が実験したところ、直径が１２ｃｍの光学ディスク対応のＣＤ、ＣＤ−ＲＯＭ、ＣＤ−Ｒ／ＲＷ、ＤＶＤ、記録型ＤＶＤ等の光ディスクドライブ装置においては、ＭＤドライブ装置に比べて、光ピックアップユニットベースを案内するガイド主軸の長さが長くなる上に、光ピックアップユニットベースの重量も増大することから、ガイド主軸の直径をΦ＝１．５ｍｍに構成した場合、後述するように、光ディスクドライブ装置の落下衝撃スペックでの落下実験によって、ガイド主軸が塑性変形してしまうと言う問題があった。
【特許文献１】特開２００１−３２５７７６号公報
【特許文献２】特開２００４−    ６０３７号公報
【特許文献３】特開２００４−１３２４５０号公報
【発明の開示】
【発明が解決しようとする課題】
【００１１】
本発明が解決しようとする問題点は、ピックアップユニットベースの厚みを最大限に薄くするために、ガイド主軸の直径を最大限に小さくしても、ディスクドライブ装置の落下衝撃によるガイド主軸の塑性変形を防止することができるようにする点である。
【課題を解決するための手段】
【００１２】
本発明は、ディスク状記録媒体を回転駆動するスピンドルモータ及びピックアップユニット送り機構が搭載されたディスクドライブユニットベースと、ディスク状記録媒体に情報を記録及び／又は再生するピックアップ手段がピックアップユニットベースに搭載され、該ピックアップユニットベースの一側部に取付けられた軸受がディスクドライブユニットベースに架設されたガイド主軸の外周に沿ってディスク状記録媒体の半径方向へ摺動されるピックアップユニットと、ディスクドライブユニットベースにガイド主軸と平行に架設された衝撃吸収用軸とを備え、ピックアップユニットベースが衝撃吸収用軸に対して少なくともディスク状記録媒体の半径方向に対する直角な方向の微小なクリアランスを保って、ガイド主軸に沿ってディスク状記録媒体の半径方向へ摺動させるように構成されたことを特徴とするものである。
【００１３】
また、本発明は、ディスクドライブ装置の広範囲の落下衝撃方向に対するガイド主軸の塑性変形を確実に防止するために、衝撃吸収用軸が円柱軸に形成され、該衝撃吸収用軸がピックアップユニットベースに形成された円筒孔からなる貫通孔内に微小なクリアランスを保って挿通されていることを特徴とするものである。
【００１４】
また、本発明は、直径が１２ｃｍのディスク状記録媒体を記録及び／又は再生するディスクドライブ装置に対応させるために、ピックアップユニットベースの厚みが約３ｍｍ、ガイド主軸の直径及び衝撃吸収用軸の直径がそれぞれ約１．５ｍｍ、前記貫通孔の直径が約２．１ｍｍに構成されていることを特徴とするものである。
【発明の効果】
【００１５】
本発明のピックアップユニット、ディスクドライブユニットベース及びディスクドライブ装置は、ディスク状記録媒体に情報を記録及び／又は再生するピックアップ手段が搭載されたピックアップユニットベースの厚みを最大限に薄くするために、ガイド主軸の直径を十分に小さくしても、衝撃吸収用軸をディスクドライブユニットベースにガイド主軸と平行に架設してあることから、ガイド主軸の軸方向に対する直角な方向の落下衝撃が加えられても、その衝撃をガイド主軸と衝撃吸収用軸とに分散することができて、ガイド主軸の塑性変形を未然に防止することができて、ディスクドライブ装置の超薄型化と耐衝撃性を両立させることができる。
【００１６】
また、本発明は、円柱軸で形成された衝撃吸収用軸をピックアップユニットベースに形成した円筒孔からなる貫通孔内に微小クリアランスを保って挿通したことにより、ディスクドライブ装置の広範囲の落下衝撃方向に対して衝撃吸収用軸がガイド主軸を補強することができて、ディスクドライブ装置の広範囲の落下衝撃方向に対するガイド主軸の塑性変形を確実に防止することができて、安全性、耐久性が向上する。
【００１７】
また、本発明は、ピックアップユニットベースの厚み＝約３ｍｍ、ガイド主軸及び衝撃吸収用軸の直径＝約１．５ｍｍ、ピックアップユニットベースのガイド主軸の貫通孔の直径＝約２．１ｍｍに構成することによって、直径１２ｃｍの光学ディスク等のディスク状記録媒体を記録及び／又は再生するディスクドライブ装置の超薄型化が可能である。
【実施例１】
【００１８】
図１〜図７によって、ノート型パソコン等に適用するのに最適な本発明の超薄型のディスクドライブ装置の一例であって、直径１２ｃｍの光学ディスク対応の光ディスクドライブ装置の実施例１を説明する。
【００１９】
後述するように、本発明のディスクドライブ装置の一例である超薄型の光ディスクドライブ装置１は、扁平で中空状の筐体である外装２と、その外装２の一側部の開口部２ａから水平方向である矢印ａ、ｂ方向にローディング・イジェクト（出し入れすること）される扁平形状のローディング・イジェクト用スライドベース（以下、単にスライドベースと記載する）３とを備えていて、そのスライドベース３上にディスクドライブユニットの一例である扁平形状の光ディスクドライブユニット４及びピックアップユニットの一例である扁平形状の光ピックアップユニット５が搭載されている。
【００２０】
そして、光ディスクドライブユニット４はディスクドライブユニットベースの一例である扁平形状の光ディスクドライブユニットベース４０を備え、光ピックアップユニット５はピックアップユニットベースの一例である扁平形状の光ピックアップユニットベース５０を備えている。そして、光ディスクドライブユニットベース４０にはガイド主軸４３、ガイド副軸４４及び補強用衝撃吸収用軸４８が備えられている。
【００２１】
ここで、図１は光ディスクドライブ装置１全体を示した斜視図であり、図２及び図３はその光ディスクドライブ装置１のスライドベース３に搭載された光ディスクドライブユニット４及び光ピックアップユニット５を示した斜視図であり、図４は光ピックアップユニット５を拡大した斜視図である。そして、図５は光ディスクドライブユニットベース４０に平行状に架設されたガイド主軸４３と衝撃吸収用軸４８との関係を説明する斜視図であり、図６及び図７は図５の正面図である。
【００２２】
そこで、図１及び図２によって、光ディスクドライブ装置１全体の概要を説明すると、外装２内の一側部には図示省略されたローディング機構が収納されていて、このローディング機構によってスライドベース３が外装２の一側部の開口部３ａから内外へ矢印ａ、ｂ方向からローディング・イジェクトされるように構成されている。
【００２３】
このスライドベース３の上面には、ＣＤ、ＣＤ−ＲＯＭ、ＣＤ−Ｒ／ＲＷ、ＤＶＤ、記録型ＤＶＤ等の光ディスクや光磁気ディスク及びその他の各種のディスク状記録媒体の一例である光学ディスク６であって、直径１２ｃｍの光学ディスク６を水平状に収納することができ、全体として円形状の凹所３０が形成されている。
【００２４】
このスライドベース３の凹所３０の底部には、外形が不等辺の多角形状に形成されている光ディスクドライブユニット４の外径に沿った開口部３１が形成されていて、その開口部３１内に光ディスクドライブユニット４がゴム等の弾性材料によって扁平形に形成されている複数個のインシュレータ３２を介して水平状に搭載されている。
【００２５】
そして、光ディスクドライブユニット４の外周フレームに相当し、不等辺の多角形状に形成されている扁平形状の光ディスクドライブユニットベース４０の一端側に垂直状に搭載されたスピンドルモータ４１のターンテーブル４１ａがスライドベース３の凹部７の中央に上向きに配置されている。そして、光学ディスク６が中心穴６ａによってこのターンテーブル４１ａ上に着脱自在で、水平状に装着されてスライドベース３の凹所３０内に収容されるように構成されている。なお、この光ディスクドライブユニットベース４０の内側には不等辺の多角形状に形成されている開口部４２がスピンドルモータ４１と直列状に形成されている。
【００２６】
また、光ピックアップユニット５は外形が不等辺の多角形状に形成されている扁平形状の光ピックアップユニットベース５０内にピックアップ手段である光ピックアップ５１が組み込まれたものであり、その光ピックアップ５１の対物レンズ５１ａが光ピックアップユニットベース５０の上面で、スピンドルモータ４１寄りの位置に上向きに配置されている。この光ピックアップユニット５は光ディスクドライブユニットベース４０内で、スピンドルモータ４１の横位置に大きく開口されている開口部４２内に水平状に収容されている。
【００２７】
そして、この光ピックアップユニットベース５０は光ディスクドライブユニットベース４０の両側部４０ａ、４０ｂの内側に沿って平行状で、水平状に架設されて、開口部４２内の両側位置に配置されたそれぞれ円柱軸からなるガイド主軸４３及びガイド副軸４４で案内されて、光学ディスク６の半径方向である矢印ｃ、ｄ方向にスライド自在に構成されている。また、この光ピックアップユニットベース５０は光ディスクドライブユニットベース４０の一側部に搭載されたピックアップユニット送り機構の一例である光ピックアップユニット送り機構４５によって矢印ｃ、ｄ方向にスライド駆動されるように構成されている。
【００２８】
なお、光ピックアップユニットベース５０の一側部５０ａが後述する円筒状の含油メタル軸受５２によって円柱軸からなるガイド主軸４３の外周に摺動自在に挿通されていて、その光ピックアップユニットベース５０の他側部５０ｂがほぼＵ型の係合部５３によって円柱軸からなるガイド副軸４４の上下に摺動自在に係合されている。
【００２９】
また、光ピックアップユニット送り機構４５は光ディスクドライブユニットべ−ス４０の一側部４０ａに搭載されて、その光ディスクドライブユニットベース４０の厚み内に収容されているスピンドルモータ４５ａと、そのスピンドルモータ４５ａによってギヤトレイン４５ｂを介して回転駆動される送り軸であるリードスクリュー４５ｃとによって構成されていて、そのリードスリュー４５ｃがガイド主軸４３の横位置に平行状に近接されている。
【００３０】
そして、光ピックアップユニットベース５０の一側部に取付けられた係合子５４がほぼラックの歯に類似する形状に形成されていて、この係合子５４がリードスクリュー４５ｃの外周のラセン溝４５ｄに横側方から係合されている。
【００３１】
従って、スピンドルモータ４５ａによってギアトレイン４５ｂを介してリードスクリュー４５ｃが正逆回転駆動されることによって、光ピックアップユニットベース５０がガイド主軸４３及びガイド副軸４４で案内されながら矢印ｃ、ｄ方向へスライド駆動されるように構成されている。なお、前述した複数のインシュレータ３２は光ディスクドライブユニットベース４０の外周部分に形成された複数のインシュレータ支持部４６の上下対向面に装着されて、スライドベース３の開口部３０の縁部分を上下から弾性的に挟持するように構成されている。
【００３２】
以上のような概要構造を備えた本発明の超薄型の光ディスクドライブ装置１は、ノート型パソコン等のスリット内に外装２によって装着されて使用される。そして、図１に示すように、光学ディスク６をスピンドルモータ４１のターンテーブル４１ａ上に水平に装着して、スライドベース３をローディング機構によって外装２内に矢印ａ方向からローディングする。
【００３３】
そして、コンピュータからのディスク記録、再生の指令信号によって、スピンドルモータ４１が光学ディスク６を回転駆動すると共に、光ピックアップ５１の対物レンズ５１ａによって光ビームが光学ディスク６の下面に収束された状態で、光ピックアップユニット送り機構４５によって光ピックアップユニットベース５０が光学ディスク６の半径方向に沿って矢印ｃ、ｄ方向へシーク及びトラッキングされて、光学ディスク６に映像情報等が記録、再生されるように構成されている。
【００３４】
そして、本発明の光ディスクドライブ装置１は、光ピックアップユニットベース５０の厚みＴ１＝３ｍｍ以下に構成し、光ディスクドライブユニットベース４０の厚みＴ２＝３ｍｍ以下に構成して、スライドベース３の厚みＴ３＝６．５ｍｍ以下に構成することにより、外装２の厚みＴ４＝８ｍｍ以下の超薄型の光ディスクドライブ装置１を構成している。
【００３５】
そこで、図２〜図７によって、本発明の光ディスクドライブ装置１の超薄型化と落下時等における耐衝撃性の向上を実現した構造について説明する。
【００３６】
即ち、光ピックアップユニットベース５０の一側部５０ａの厚み方向の中央部には、上下に均一の段差を有する軸受取付け部６０が形成されていて、その軸受取付け部６０に２個の円筒状の含油メタル軸受５２が板バネ６１で構成された取付け部材６２及び複数個の取付け用ネジによって光ピックアップユニットベース５０の軸受取付け部６０で、その光ピックアップユニットベース５０の厚みＴ１０のセンター上に脱着可能に上下から取付けられている。
【００３７】
その際、２個の含油メタル軸受５２は取付け部材６２に一体に形成されている２個の取付け部６２ａ内に嵌合されて軸受取付け部６０に圧着することにより、これら２個の含油メタル軸受５２が光ピックアップユニットベース５０の一側部５０ａに同心状に、高精度に取付けられている。そして、これら２個の含油メタル軸受５２、取付け部材６２及び取付け用ネジ６３が全て光ピックアップユニットベース５０の厚みＴ１０内に収容されている。そして、これら２個の含油メタル軸受５２が光ディスクドライブユニットベース４０のガイド主軸４３の外周に矢印ｃ、ｄ方向へ摺動自在に挿入されている。
【００３８】
ここで、図６に示すように、ガイド主軸４３の直径Ｄ１は強度的な限界値とされるＤ１＝１．５ｍｍに構成され、円筒状の含油メタル軸受５２は、肉厚ｔ１が強度的な限界値とされるｔ１＝０．４ｍｍであり、外径Ｄ２＝２．３ｍｍとなっていて、光ピックアップユニットベース５０の厚みＴ１＝３ｍｍの含油メタル軸受５２に対する肉厚の差はＴ１−Ｄ２＝０．７ｍｍとなっている。そして、取付け部材６２として、肉厚ｔ２＝０．３５ｍｍ以下のステンレス板等からなる板バネ６１が使用されている。因に、ガイド副軸４４の直径＝２．０ｍｍ〜１．５ｍｍに構成されている。
【００３９】
なお、係合子５４も板バネ６１からなる取付け部材６２及び取付け用ネジ６３によって光ピックアップユニットベース５０の一側部５０ａの下面側に脱着可能に取付けられていて、これら係合子５４、取付け部材６２及び取付け用ネジ６３も全て光ピックアップユニットベース５０の厚みＴ１０内に収容されている。
【００４０】
次に、円柱軸から成る衝撃吸収用軸４８が光ディスクドライブユニットベース４０の開口部４２内におけるガイド主軸４３の内側近傍位置に水平状で、平行状に架設されている。そして、光ピックアップユニットベース５０の一側部５０ａで２個の含油メタル軸受５２より内側位置にこれら２個の含油メタル軸受５２の軸心方向と平行な水平状に貫通された円筒孔からなる貫通孔５６が衝撃吸収用軸４８の外周に非接触状態に挿通されている。
【００４１】
つまり、衝撃吸収用軸４８の外径Ｄ３より貫通孔５６の内径Ｄ４が僅かに大きく構成されていて、これら衝撃吸収用軸４８の外周面と貫通孔５６の内周面との間には環状のクリアランス（隙間）５７が形成されている。なお、ガイド主軸４３及び衝撃吸収用軸４８の材質が例えばＳＵＳ４２０Ｊ２（焼入）で構成されている。
【００４２】
そして、図６に示すように、衝撃吸収用軸４８の直径Ｄ３＝約１．５ｍｍに構成され、貫通孔５６の内径Ｄ４＝約２．１ｍｍに構成されていて、クリアランス５７の厚みｔ３＝約０．３ｍｍに構成されている。但し、衝撃吸収用軸４８の直径Ｄ３は１．５ｍｍ以上又は１．５ｍｍ以下に構成することも可能であり、同様に、貫通孔５６の内径Ｄ４も２．１ｍｍ以上又は２．１ｍｍ以下に構成することも可能であり、クリアランスの厚みｔ３を０．３ｍｍ以上に構成することも０．３ｍｍ以下に構成することも可能である。
【００４３】
以上のように、本発明の光ディスクドライブ装置１は、ガイド主軸４３、２個の含油メタル軸受５２の取付け部材６２及び衝撃吸収用軸４８等の全てが光ピックアップユニットベース５０の厚みＴ１＝３ｍｍ内に収容されていることから、超薄型の光ディスクドライブ装置１を構成することができる。
【００４４】
一方、図１及び図２に示したように、光ディスクドライブユニット４はスライドベース３の開口部３１内に複数のインシュレータ３２によって弾性的に支持されている。そして、光ディスクドライブ装置１の落下時等の外部衝撃Ｇがガイド主軸４３に軸方向に対する直角な方向から加えられた場合に、直径Ｄ１＝１．５ｍｍである非常に細いガイド主軸４３が塑性変形（破損）し易い危険性を有している。
しかし、本発明の光ディスクドライブ装置１は、ガイド主軸４３と平行に架設されている衝撃吸収用軸４８によってガイド主軸４３の塑性変形を未然に防止することができる。
【００４５】
つまり、光ピックアップユニットベース５０が光ピックアップ送り機構４５によってガイド主軸４３及びガイド副軸４４に沿って矢印ｃ、ｄ方向へシーク及びトラッキングされる際には、図６に示すように、光ピックアップユニットベース５０が貫通孔５６内のクリアランス５７によって衝撃吸収用軸４８に対して非接触状態で移動される。
【００４６】
しかし、図７に示すように、光ディスクドライブ装置１の落下時等衝撃Ｇがガイド主軸４３に軸方向に対する直角な方向から加えられて、そのガイド主軸４３が矢印ｅ方向へクリアランスｔ＝０．３ｍｍ相当分だけ僅かに撓んだ時に、光ピックアップユニットベース５０の貫通孔５６の内周面５６ａが衝撃吸収用軸４８の外周面４８ａに衝突して、ガイド主軸４３の一定値以上の変形を未然に防止することができる。
【００４７】
ここで、図８〜図１０によって、本発明の光ディスクドライブ装置１のガイド主軸４３に対する直角方向（矢印ｅ方向）に加えられる外部衝撃Ｇに対するガイド主軸４３の塑性変形に関するシミレーション結果について説明する。
【００４８】
まず、図８の（Ａ）は、前述したように、光ディスクドライブ装置１のスライドベース３の開口部３１内に光ディスクドライブユニット４を介して光ピックアップユニット５を弾性的に支持している衝撃伝達減衰ゴムであるインシュレータ３２の圧縮荷重（縦軸）に対する縮み量（横軸）を示したグラフである。
【００４９】
そこで、図８の（Ａ）に基づき、光ディスクドライブ装置１に加わる矢印ｅ方向の外部衝撃Ｇに対するインシュレータ３２の縮み量を測定したところ、外部衝撃Ｇを、Duration ３ｍｓ、Acceleration ２８４２ｍ／ｓ＾／ｓ２とし、インシュレータ３２の初期固体振動数Ｆｏを１０Ｈｚ、光ディスクドライブユニット４の質量５０ｇｆ、光ピックアップユニット５の質量１５ｇｆとすると、外部衝撃Ｇに対して、インシュレータ３２のゴムの特性により、衝撃後のインシュレータ３２の縮み量は、ｍａｘ．約０．８２ｍｍであった。
【００５０】
次に、図８の（Ｂ）は、横軸をインシュレータ３２の縮み量とし、縦軸をインシュレータ３２の固体振動数Ｆｏの変化を示したものである。ここで、ゴム縮み量０．８２ｍｍの時、インシュレータ３２の固体振動数Ｆｏは、約７５Ｈｚとなっている。
そこで、インシュレータ３２の固体振動数Ｆｏ７５Ｈｚの時に上記の外部衝撃Ｇが加わると、光ディスクドライブユニット４には、Acceleration１９３３ｍ／ｓ＾２が加わり、この時、ガイド主軸４３にかかる曲げ応力と変形量は、図９のようになる。
【００５１】
即ち、図９において、横軸は、光ピックアップユニット５の光学ディスク６に対する内周から外周への移動量であって、０値が内外周位置を示し、２０値が中央位置を示している。ここで、ガイド主軸４３は、材質がＳＵＳ４２０Ｊ２（焼入）、長さ５５ｍｍ、光ピックアップユニット５の含油メタル軸受５２間距離を１５ｍｍとする。結果としては、ガイド主軸径Φ１．５で、曲げに対する塑性変形の許容応力値（５５ｋｇｆ／ｍｍ＾２）ぎりぎりであり、全くマージンのないものになってしまい、Φ１．５以下では塑性変形を起してしまうことが判る。
【００５２】
ところで、本発明の光ディスクドライブ装置１では、図７に示したように、矢印ｅ方向の外部衝撃Ｇが加えられて、ガイド主軸４３が矢印ｅ方向へクリアランスｔ＝０．３ｍｍ相当分だけ僅かに撓んだ時に、光ピックアップユニットベース５０の貫通孔５６の内周面５６ａが衝撃吸収用軸４８の外周面４８ａに当接されて、ガイド主軸４３の一定値以上の塑性変形を防止する衝撃吸収機能を備えているので、図１０に示すように、ガイド主軸４３に加えられる曲げ応力、変形量が共に大幅に軽減されることが判る。
【００５３】
即ち、外部衝撃Ｇによってガイド主軸４３が約５ｍｍ撓んだところで、光ピックアップユニットベース５０の貫通孔５６の内周面５６ａが衝撃吸収用軸４８の外周面４８ａに衝突して、ガイド主軸４３の曲げ応力が一瞬下降し、その後、そのガイド主軸４３の曲げ応力が少し上昇するものの、曲げに対する塑性変形の許容応力値である５５ｋｇｆ／ｍｍ＾２への到達には遠く及ばない安全な曲げ応力、変形量を確保できる大きな効果を得ることができた。
【００５４】
なお、ガイド副軸４４に関しては、軸の長さが短く（４０ｍｍ）構成できるので、Φ１．５でも、マージンは十分にある。また、横落下に関しては、外部衝撃Ｇにより、インシュレータ３２の縮みは発生しないので、初期のＦｏの変化はなく、Ｆｏ１０Ｈｚの場合には、落下衝撃で軸径Φ１．５でも、十分満足できる。
【産業上の利用可能性】
【００５５】
以上、本発明の実施例に付き述べたが、本発明は上記した実施例に限定されることなく、本発明の技術的思想に基づいて、各種方式のピックアップ手段が各種方式のピックアップユニットベースに搭載されて使用される光方式、光磁気方式或いは磁気方式にてディスクに情報を記録及び／又は再生する各種のディスクドライブ装置に適用することが可能である。
また、実施例１では、衝撃吸収用軸４８を光ピックアップユニットベース５０の一側部５０ａ側に形成した貫通孔５６内に挿通して、ガイド主軸４３に平行状に近接させるように配置したが、衝撃吸収用軸４８を光ピックアップユニット５０の他側部５０ｂ側に形成した貫通孔５６内に挿通して、ガイド副軸４４に平行状に近接させるように配置することも可能である。
【図面の簡単な説明】
【００５６】
【図１】本発明を適用した光ディスクドライブ装置全体の斜視図である。
【図２】同上の光ディスクドライブ装置の光ディスクドライブユニット及び光ピック    アップユニットを示した斜視図である。
【図３】図２と同様の斜視図である。
【図４】同上の光ディスクドライブ装置の光ピックアップユニットベースを示した斜    視図である。
【図５】同上の光ピックアップユニットベースとガイド主軸及び衝撃吸収用軸の関係    を示した要部の分解斜視図である。
【図６】図５の正面図である。
【図７】図６と同様の正面図であって、外部衝撃によるガイド主軸の弛みを説明する    図面である。
【図８】インシュレータの圧縮荷重と圧縮量との関係と、インシュレータの固体振動    数と圧縮量との関係をそれぞれ示したグラフである。
【図９】衝撃吸収用軸を備えていない場合における外部衝撃によるガイド主軸の弛み    による塑性変形を説明するグラフである。
【図１０】衝撃吸収用軸を備えることにより、外部衝撃によるガイド主軸の塑性変形    が防止されることを説明するグラフである。
【符号の説明】
【００５７】
１    光ディスクドライブ装置、  ２    外装、  ３    ローディング・イジェクト用スライドベース、  ４    光ディスクドライブユニット、  ４０  光ディスクドライブユニットベース、  ４１  スピンドルモータ、  ４２  開口部、  ４３  ガイド主軸、
４５  光ピックアップユニット送り機構、  ４５ｃ  リードスクリュー、
４５ｄ  リードスクリューのラセン溝、  ４８  衝撃吸収用軸、  ４８ａ  衝撃吸収用軸の外周面、  ５    光ピックアップユニット、  ５０  光ピックアップユニットベース、  ５１  光ピックアップ、  ５２  含油メタル軸受、  ５４  係合子、  ５６  貫通孔、  ５６ａ  貫通孔の内周面
【図１】
2006216150.tif 000003
【図２】
2006216150.tif 000004
【図３】
2006216150.tif 000005
【図４】
2006216150.tif 000006
【図５】
2006216150.tif 000007
【図６】
2006216150.tif 000008
【図７】
2006216150.tif 000009
【図８】
2006216150.tif 000010
【図９】
2006216150.tif 000011
【図１０】
2006216150.tif 000012